(57)【要約】【課題】受信感度が悪かったために記録できなかった映像音声データを再生することができるようにする。【解決手段】録画予約情報を共有した複数の映像音声記録再生装置１０，１０，・・・間において、各装置における受信感度の変化に応じてチャプターを設定し、他の装置間でそのチャプター情報を共有する。【選択図】図１
2008160521.tif 000002
【特許請求の範囲】
【請求項１】
複数の映像音声記録再生装置を用いて相互に通信及びデータ交換を行う映像音声記録再生システムであって、
前記映像音声記録再生装置は、
ディジタル放送の映像音声データを受信する受信手段と、
前記受信手段における映像音声データの受信状態を示す情報を取得する受信状態取得手段と、
前記受信した映像音声データを記録媒体に記録する一方、記録された映像音声データを再生する記録再生手段と、
前記記録媒体に記録された映像音声データ上の特定の位置から再生を行うためのチャプターを設定して該記録媒体に記録するチャプター設定手段と、
他の映像音声記録再生装置との間で通信及びデータ交換を行う通信手段と、
前記複数の映像音声記録再生装置のうち１つで映像音声データの記録が開始されたときに、他の映像音声記録再生装置で同一の映像音声データの記録を開始する一方、映像音声データの記録中に複数の映像音声記録再生装置のうち１つで受信感度が変化した場合に、その変化した位置にチャプターを設定し、各装置間でチャプター情報を共有するように制御する制御手段とを備えたことを特徴とする映像音声記録再生システム。
【請求項２】
請求項１において、
前記チャプター設定手段は、前記チャプター設定時に、チャプターデータとともに受信感度を示す情報を前記記録媒体に記録するように構成されていることを特徴とする映像音声記録再生システム。
【請求項３】
請求項１又は２において、
映像音声データの記録媒体情報、映像音声データの識別情報、及びチャプターデータを記憶するチャプター記憶手段を備え、
前記チャプター設定手段は、前記チャプター設定時に、チャプターデータを前記チャプター記憶手段に記録するように構成されていることを特徴とする映像音声記録再生システム。
【請求項４】
請求項１又は２において、
複数の映像音声記録再生装置を識別するための識別情報、映像音声データの記録媒体情報、映像音声データの識別情報、及びチャプターデータを記憶するチャプター記憶手段を備え、
前記チャプター設定手段は、前記チャプター設定時に、チャプターデータを前記チャプター記憶手段に記録するように構成されていることを特徴とする映像音声記録再生システム。
【請求項５】
請求項２乃至４のうち何れか１項において、
前記チャプター設定手段は、受信感度が悪い場合にはチャプター設定を行わないように構成されていることを特徴とする映像音声記録再生システム。
【請求項６】
請求項１乃至５のうち何れか１項の映像音声記録再生システムで用いられることを特徴とする映像音声記録再生装置。
【発明の詳細な説明】
【技術分野】
【０００１】
本発明は、ディジタル放送電波を受信し、受信した放送番組を記録媒体に記録及び再生するための映像音声記録再生システム及び映像音声記録再生装置に関するものである。
【背景技術】
【０００２】
近年、テレビ放送のディジタル化が本格的に進み、ディジタル放送対応のテレビ受信装置も本格的に普及し始めている。また、携帯型のワンセグディジタル放送も本放送が開始され、その受信端末装置も次々と商品化されている。
【０００３】
これらの受信装置の普及と比例して、ディジタル放送をハードディスク、メモリカード、ＤＶＤメディア、次世代メディア等の記録媒体に記録、再生できる映像音声記録再生装置も大きく普及しつつある。これにより、家庭内に設置する据置型の映像音声記録再生装置、携帯可能な小型化された映像音声記録再生装置等、様々なタイプがユーザーに提案されている。例えば、携帯可能な映像音声記録再生装置として、ワンセグディジタル放送の受信機能、その放送の記録再生機能を盛り込んだ携帯電話等が挙げられる。
【０００４】
従って、ユーザーは、家庭では据置型の映像音声記録再生装置を使用し、部屋の外では携帯型の映像音声記録再生装置を持ち歩くことも可能となってきている。
【０００５】
このように、ユーザーは部屋の中や外でディジタル放送電波を受け、記録媒体に放送番組が記録できる。しかし、部屋の外での受信においては、アナログ放送時と同様に、受信条件によっては、受信感度が悪い場合もあり、映像を記録する際に、放送番組を視聴できない状態で記録してしまうおそれがある。
【０００６】
このような問題を解消するために、例えば、特許文献１には、通信手段で互いに接続された複数の映像音声記録再生装置間で録画予約を共有して録画を開始することで、一部の装置で放送番組を受信できなかった場合でも、他の装置で放送番組を受信することができ、録画を正常に行うようにした技術が開示されている。つまり、ユーザーが、ネットワークを通じて録画予約情報の共有を指定でき、複数の映像音声記録再生装置で放送番組の記録、共有を可能としている。
【特許文献１】特開２００４−３６４１８６号公報
【発明の開示】
【発明が解決しようとする課題】
【０００７】
しかしながら、上述した技術では、ネットワーク上に接続された全ての映像音声記録再生装置の受信感度が、記録するのに十分な品質が確保できていることが前提とされている。従って、受信感度が各装置間で異なる場合には、映像音声データの記録予約を装置間で共有できたとしても、受信感度が悪い装置においては、その映像音声データが部分的にしか取得できていない場合が発生し得る。
【０００８】
また、ネットワークにて映像音声データが共有できたとしても、各装置間で不完全に記録された映像音声データを本来の映像音声データとなるように結び付けようとすることは、ユーザーの作業負担が大きく非常に不便であった。
【０００９】
本発明は、かかる点に鑑みてなされたものであり、その目的とするところは、受信感度が悪かったために記録できなかった映像音声データを再生することができるようにすることにある。
【課題を解決するための手段】
【００１０】
すなわち、本発明では、複数の映像音声記録再生装置を用いて相互に通信及びデータ交換を行う映像音声記録再生システムであって、
前記映像音声記録再生装置は、
ディジタル放送の映像音声データを受信する受信手段と、
前記受信手段における映像音声データの受信状態を示す情報を取得する受信状態取得手段と、
前記受信した映像音声データを記録媒体に記録する一方、記録された映像音声データを再生する記録再生手段と、
前記記録媒体に記録された映像音声データ上の特定の位置から再生を行うためのチャプターを設定して該記録媒体に記録するチャプター設定手段と、
他の映像音声記録再生装置との間で通信及びデータ交換を行う通信手段と、
前記複数の映像音声記録再生装置のうち１つで映像音声データの記録が開始されたときに、他の映像音声記録再生装置で同一の映像音声データの記録を開始する一方、映像音声データの記録中に複数の映像音声記録再生装置のうち１つで受信感度が変化した場合に、その変化した位置にチャプターを設定し、各装置間でチャプター情報を共有するように制御する制御手段とを備えたことを特徴とするものである。
【００１１】
また、本発明は、このような映像音声記録再生システムで用いられる映像音声記録再生装置である。
【発明の効果】
【００１２】
以上のように、本発明によれば、受信感度の変化によりチャプターを設定し、そのチャプターを同一の映像音声データの記録予約を共有した複数の映像音声記録再生装置間で共有できるようにしたことで、いつの時点で受信感度が変わったのかを実際の映像音声データを再生しながら容易に確認できる。
【００１３】
また、記録予約を共有した他の映像音声記録再生装置においても、共有したチャプターにより、受信感度が悪くて記録できなかった映像音声データを、良好に記録できている装置上でそのチャプターにて飛ばし再生をすることで簡単に再生することができる。
【００１４】
このように、複数の映像音声記録再生装置、すなわち、携帯型の映像音声記録再生装置と据置型の映像記録再生装置とを所有しているユーザーにとって、その利便性が向上する。
【発明を実施するための最良の形態】
【００１５】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００１６】
＜実施形態１＞
図１は、本発明の実施形態１に係る映像音声記録再生装置１０の構成を示すブロック図である。図１に示すように、映像音声記録再生装置１０は、ディジタル放送の映像音声データを受信する受信部１と、受信した映像音声データをデータ処理するデータ処理部２と、受信した映像音声データを記録媒体に記録する一方、記録された映像音声データを再生する記録再生部３と、映像音声データの受信状態を示す情報を取得する受信状態取得部４と、映像音声データの特定の位置から再生を行うためのチャプターを設定するチャプター設定部５と、他の映像音声記録再生装置１０と相互に通信及びデータ交換を行う通信部６と、映像音声記録再生装置１０の動作を制御する制御部７とを備えている。
【００１７】
前記記録再生部３は、記録時には、半導体メモリ等の記録媒体上に、再生時に必要となる再生時刻情報とエンコードされた映像・音声データを記録する。また、再生時には、再生時刻情報を用いて、エンコードされた映像・音声データをデコードし、映像や音声を同期させながら再生する。
【００１８】
前記受信状態取得部４は、放送電波を受信するためのチューナモジュールが提供する受信感度情報を用いて受信状態を取得する。
【００１９】
前記チャプター設定部５は、記録をリレーするときに、受信感度の良い装置側でチャプターを設定する。チャプターは再生時の時刻情報に付随して記録媒体上に付加される。
【００２０】
前記通信部６は、無線ネットワーク、ＦＴＴＨ等の通信回線で他の装置間との通信を行う。
【００２１】
図２は、本実施形態１に係る映像音声記録再生システム２０の構成を示すブロック図である。図２に示すように、この映像音声記録再生システム２０は、映像音声記録再生装置１０を４台用いて各装置１〜４の通信部６により互いに通信及びデータ交換が行われるようになっている。
【００２２】
図３は、映像音声記録再生装置１０を４台用いて、各装置１〜４の記録再生部３で記録媒体に記録した映像音声データ及びチャプターデータの記録状態を示す模式図である。図３では、横軸に映像音声データの記録時間（図３では１時間）を示し、縦軸に各装置１〜４を示している。また、映像音声データを“受信ＡＶ−Ｄａｔａ”と表記し、チャプターデータを、左から右へ時間経過順に最大５ポイントで示している。
【００２３】
図４は、映像音声記録再生装置１０の受信状態取得部４で取得される受信状態を定義したものであり、各受信状態における記録再生部３での記録の可否との関連を示している。
【００２４】
具体的に、レベル０は、受信部１で映像音声データの受信が開始されていない状態であり、未受信状態であることを示している。
【００２５】
レベル１は、受信部１で映像音声データを取得できていない状態であり、受信不可の状態であることを示している。
【００２６】
レベル２は、受信部１で映像音声データはかろうじて取得している状態（ノイズが含まれている状態）であり、受信可の状態であることを示している。
【００２７】
レベル３は、受信部１で映像音声データを取得している状態（データ処理部２にて、異常が発生したときに補正が行われている状態）であり、通常の受信状態であることを示している。
【００２８】
レベル４は、受信部１で良好な状態で映像音声データが取得できている状態（データ処理部２にて異常が発生していない状態）であり、良好な受信状態であることを示している。
【００２９】
図５は、映像音声記録再生装置１０を４台用いて映像音声を記録させたときに各装置１〜４の記録再生部３で記録媒体上に記録されるチャプターデータのデータ内容を示す図である。
【００３０】
図６は、映像音声記憶再生装置の制御部７において、映像音声データを記憶するときの制御手順を示すフローチャート図である。
【００３１】
以下、図１〜図６を用いて、本実施形態１に係る映像音声記録再生装置１０の動作を説明する。なお、動作の説明にあたって、通信の遅延は考慮する必要がないほど小さいものとする。また、装置１〜３は受信感度が変化しやすい携帯型の映像音声記録再生装置１０であり、装置４は受信感度が安定した据置型の映像音声記録再生装置１０であるとする。
【００３２】
まず、装置１で映像音声データの記録予約がなされた場合、その記録予約を示す情報が通信部６によって他の装置２〜４に送信され、各装置２〜４において予約情報が共有される。
【００３３】
次に、各装置１〜４の受信部１において記録対象である映像音声データが受信され、記録再生部３において映像音声データの記録媒体への記録が開始される。このとき、各装置１〜４の受信状態取得部４において受信感度を示す情報が同時に取得される。
【００３４】
ここで、図３に示すように、各装置１〜４では、受信状態が未受信状態から受信状態へと変化している。したがって、図６に示すように、ステップＳ５０１で、各装置１〜４のチャプター設定部５でチャプターが設定され、続くステップＳ５０２に進む。
【００３５】
具体的に、図５に示すように、装置１ではChap1-1（記録開始 00:00）、装置２ではChap2-1（記録開始 00:00）、装置３ではChap3-1（記録開始 00:00）、装置４ではChap4-1（記録開始 00:00）が設定される。そして、各チャプターでの受信感度データは、装置１は未受信状態“レベル０”から受信可状態“レベル２”、装置２は未受信状態“レベル０”から通常状態“レベル３”、装置３は未受信状態“レベル０”から通常状態“レベル３”、装置４は未受信状態“レベル０”から通常状態“レベル３”へと変化している。
【００３６】
ステップＳ５０２では、記録再生部３により映像音声データとともにチャプターデータが記録媒体に記録され、続くステップＳ５０３に進む。
【００３７】
ステップＳ５０３では、記録再生部３による記録動作を継続するか否かが判定される。ステップＳ５０３での判定が「ＹＥＳ」の場合には、ステップＳ５０４に分岐する。ステップＳ５０３での判定が「ＮＯ」の場合には、記録処理を終了する。
【００３８】
ステップＳ５０４では、各装置１〜４で受信状態が変化したかを判定する。ステップＳ５０４での判定が「ＹＥＳ」の場合には、ステップＳ５０２に分岐し、再度、映像音声データとともにチャプターデータが記録される。ステップＳ５０４での判定が「ＮＯ」の場合には、処理を終了する。
【００３９】
具体的に、図３及び図５に示すように、装置１は受信可状態“レベル２”から受信不可状態“レベル１”、装置２，３は通常状態“レベル３”から受信不可状態“レベル１”へと変化している。そして、装置１ではChap1-2、装置２ではChap2-2、装置３ではChap3-2が設定される。これにより、装置１ではChap1-1（記録区間 00:00-00:12）、装置２ではChap2-1（記録区間 00:00-00:28）、装置３ではChap3-1（記録区間 00:00-00:18））の記録区間が確定する。
【００４０】
このように更新されたチャプターデータや新規に追加されたチャプターデータは、記録再生部３により、映像音声データとともに記録媒体に更新及び記録される。
【００４１】
以下の説明は省略するが、図３及び図５に示すように、受信感度の変化に応じてチャプターの情報が更新されて確定し、新たなチャプターが設定される。
【００４２】
図３及び図５に示すように設定されたチャプターは、通信部６によって各装置１〜４間で共有される。これにより、例えば、装置１で受信感度が悪かったChap1-2、Chap1-4の映像音声データは、装置４での映像音声データの記録内容に対してChap1-2、Chap1-4の情報を共有することにより、記録区間 00:18-00:22、00:42-00:50を飛ばし再生することで、装置１において受信不可状態であったために記録できなかった映像音声データを簡単に再生して確認することができる。
【００４３】
以上のように、本実施形態１に係る映像音声記録再生システム２０及び映像音声記録再生装置１０によれば、通信部６を用いて、受信感度の変化に基づいて生成したチャプター情報を共有することで、ある装置で受信不可状態であったために記録できなかった映像音声データを、受信感度が良好であった装置上で簡単に確認できる。
【００４４】
なお、本実施形態１では、記録開始後、映像音声データが図４に示す受信不可状態（レベル１）であってもチャプターの生成を行い、実際には無意味なデータである映像音声データの記録を継続する形で動作するように説明したが、記録媒体に記録しないように制御してもよい。このように、再生時に映像又は音声として再生できない映像音声データや、これにかかわるチャプターを記録媒体に記録しないことで、再生時のチャプターの選択、チャプターの記憶に要する記録媒体の記録容量の改善が可能となる。
【００４５】
＜実施形態２＞
図７は、本発明の実施形態２に係る映像音声記録再生装置１５の構成を示すブロック図である。前記実施形態１との違いは、チャプター記憶部９を追加した点であるため、以下、実施形態１と同じ部分については同じ符号を付し、相違点についてのみ説明する。
【００４６】
図７に示すように、チャプター記憶部９は、映像音声データの記録媒体情報、映像音声データの識別情報、及びチャプターに関する情報（記録区間）を記憶するものである。
【００４７】
また、チャプター設定部８は、チャプター設定時に、チャプターデータをチャプター記憶部９に記録するように構成されている。
【００４８】
図８は、本実施形態２に係る映像音声記録再生装置１５を４台用いて映像音声データを記録させたときに各装置１〜４のチャプター記憶部９に記録されるチャプターデータのデータ内容を示す図である。ここで、受信状態や記録区間は前記実施形態１の図５で示した例と同一であるものとする。
【００４９】
ここで、新たに、記録媒体情報として、それぞれの装置１〜４で映像音声データを記録する媒体の識別番号を＃１、＃２、＃３、＃４として表している。また、映像音声データの識別情報を＃１で表している。
【００５０】
以下、図２〜図４、図６〜図８を用いて、本実施形態２に係る映像音声記録再生装置１５の動作を説明する。
【００５１】
まず、装置１で映像音声データの記録予約がなされた場合、その記録予約を示す情報、及び映像音声データの識別情報が＃１であることを示す情報が通信部６によって他の装置２〜４に送信され、各装置２〜４において予約情報及び映像音声データの識別情報が共有される。
【００５２】
次に、各装置１〜４の受信部１において記録対象である識別情報＃１の映像音声データが受信され、記録再生部３において映像音声データの記録媒体への記録が開始される。このとき、各装置１〜４において、記録媒体の識別情報＃１〜＃４及び受信感度を示す情報が同時に取得される。
【００５３】
ここで、図３に示すように、各装置１〜４では、受信状態が未受信状態から受信状態へと変化している。したがって、図６に示すように、ステップＳ５０１で、各装置１〜４のチャプター設定部５でチャプターが設定され、続くステップＳ５０２に進む。
【００５４】
具体的に、図８に示すように、装置１ではChap1-1（記録媒体＃１、映像音声識別情報＃１、記録開始 00:00）、装置２ではChap2-1（記録媒体＃２、映像音声識別情報＃１、記録開始 00:00）、装置３ではChap3-1（記録媒体＃３、映像音声識別情報＃１、記録開始 00:00）、装置４ではChap4-1（記録媒体＃４、映像音声識別情報＃１、記録開始 00:00）が設定される。そして、各チャプターでの受信感度データは、装置１は未受信状態“レベル０”から受信可状態“レベル２”、装置２は未受信状態“レベル０”から通常状態“レベル３”、装置３は未受信状態“レベル０”から通常状態“レベル３”、装置４は未受信状態“レベル０”から通常状態“レベル３”へと変化している。
【００５５】
ステップＳ５０２では、記録再生部３により映像音声データが記録媒体に記録される一方、チャプター設定部８により受信感度、映像音声データの識別情報、各装置１〜４で映像音声データを記録した記録媒体の識別情報、及び記録区間がチャプター記憶部９に記録され、続くステップＳ５０３に進む。
【００５６】
ステップＳ５０３では、記録再生部３による記録動作を継続するか否かが判定される。ステップＳ５０３での判定が「ＹＥＳ」の場合には、ステップＳ５０４に分岐する。ステップＳ５０３での判定が「ＮＯ」の場合には、記録処理を終了する。
【００５７】
ステップＳ５０４では、各装置１〜４で受信状態が変化したかを判定する。ステップＳ５０４での判定が「ＹＥＳ」の場合には、ステップＳ５０２に分岐し、再度、映像音声データとともにチャプターデータが記録される。ステップＳ５０４での判定が「ＮＯ」の場合には、処理を終了する。
【００５８】
具体的に、図３及び図８に示すように、装置１は受信可状態“レベル２”から受信不可状態“レベル１”、装置２，３は通常状態“レベル３”から受信不可状態“レベル１”へと変化している。そして、装置１ではChap1-2、装置２ではChap2-2、装置３ではChap3-2が設定される。これにより、装置１ではChap1-1（記録区間 00:00-00:12）、装置２ではChap2-1（記録区間 00:00-00:28）、装置３ではChap3-1（記録区間 00:00-00:18））の記録区間が確定する。
このように更新されたチャプターデータや新規に追加されたチャプターデータは、チャプター設定部８によりチャプター記憶部９に更新及び記録される。
【００５９】
以下の説明は省略するが、図３及び図５に示すように、受信感度の変化に応じてチャプターの情報が更新されて確定し、新たなチャプターが設定される。
【００６０】
図３及び図８に示すように設定されたチャプターは、通信部６によって各装置１〜４間で共有される。これにより、例えば、装置１で受信感度が悪かったChap1-2、Chap1-4の映像音声データは、装置４での映像音声データの記録内容に対してChap1-2、Chap1-4の情報を共有することにより、記録区間 00:18-00:22、00:42-00:50を飛ばし再生することで、装置１において受信不可状態であったために記録できなかった映像音声データを簡単に再生して確認することができる。
【００６１】
以上のように、本発明の実施形態２に係る映像音声記録再生システム２０及び映像音声記録再生装置１５によれば、通信部６を用いて、受信感度の変化に基づいて生成したチャプター情報を共有することで、ある装置で受信不可状態であったために記録できなかった映像音声データを、受信感度が良好であった装置上で簡単に確認できる。
【００６２】
また、各装置１〜４のチャプター記憶部９にチャプター情報等が記憶されているため、記録媒体に記憶されている場合と比べ、チャプターを利用する時間を短縮できる。
【００６３】
なお、本実施形態２では、記録開始後、映像音声データが図４に示す受信不可状態（レベル１）であってもチャプターの生成を行い、実際には無意味なデータである映像音声データの記録を継続する形で動作するように説明したが、記録媒体に記録しないように制御してもよい。このように、再生時に映像又は音声として再生できない映像音声データや、これにかかわるチャプターを記録媒体に記録しないことで、再生時のチャプターの選択、チャプターの記憶に要するチャプター記憶部９の記録容量の改善が可能となる。
【００６４】
また、本実施形態２では、各装置１〜４にチャプター記憶部９を備えた構成について説明したが、ある装置のチャプター記憶部９を各装置１〜４間で共有することで、本発明の利便性を損なわず、チャプターの記憶に要する記憶容量を一層軽減することが可能である。
【産業上の利用可能性】
【００６５】
以上説明したように、本発明は、受信感度が悪かったために記録できなかった映像音声データを再生することができるという実用性の高い効果が得られることから、きわめて有用で産業上の利用可能性は高い。
【図面の簡単な説明】
【００６６】
【図１】本発明の実施形態１に係る映像音声記録再生装置の構成を示すブロック図である。
【図２】本実施形態１に係る映像音声記録再生システムの構成を示すブロック図である。
【図３】４台の映像音声記録再生装置を用いて映像音声データを受信したときの、各装置で記録された映像音声データ及びチャプターデータの記録状態を示す模式図である。
【図４】受信状態取得部で取得される受信状態のレベルと各受信状態における記録の可否との関連を示す図である。
【図５】本実施形態１のチャプターデータのデータ内容を示す図である。
【図６】制御部で行われる制御手順を示すフローチャート図である。
【図７】本実施形態２に係る映像音声記録再生装置の構成を示すブロック図である。
【図８】本実施形態２のチャプターデータのデータ内容を示す図である。
【符号の説明】
【００６７】
１    受信部
２    データ処理部
３    記録再生部
４    受信状態取得部
５    チャプター設定部
６    通信部
７    制御部
８    チャプター設定部
９    チャプター記憶部
１０    映像音声記録再生装置
１５    映像音声記録再生装置
２０    映像音声記録再生システム
【図１】
2008160521.tif 000003
【図２】
2008160521.tif 000004
【図３】
2008160521.tif 000005
【図４】
2008160521.tif 000006
【図５】
2008160521.tif 000007
【図６】
2008160521.tif 000008
【図７】
2008160521.tif 000009
【図８】
2008160521.tif 000010